(57)【特許請求の範囲】
【請求項１】
複数個の凹部を備えた拡大用本体ベースと、この拡大用本体ベースの凹部又は凹部と表面に着脱による手段を介して設けた稜角部、及び溝部とを備えた多数の拡大用着生板とで構成する拡大基盤であって、この拡大基盤を、人工藻場、又は自然藻場等の移植基盤より放出される胞子を受止め可能な場所に配置し、前記多数の拡大用着生板の稜角部の向きを、当該多数の拡大用着生板の着脱による手段を介して変更可能に設け、また当該各拡大用着生板の溝部、及び前記拡大用本体ベースと前記多数の拡大用着生板とで形成した領域の段差に砂、石等の異物を落し込み可能とする構成とした水生生物育成用の拡大基盤。
【請求項２】
上記の拡大用本体ベースの凹部又は凹部と表面に着脱による手段を介して設けた拡大用着生板に、正面視して略台形状の溝部を設け、また溝部と表面との間、及び肩部とに稜角部を設ける構成とした請求項１に記載の水生生物育成用の拡大基盤。
【請求項３】
上記の拡大用本体ベースの凹部又は凹部と表面に着脱による手段を介して設けた拡大用着生板に、正面視して略台形状の溝部を設け、また溝部の両側に大小の山部を形成し、この山部の両側に稜角部を設ける構成とした請求項１に記載の水生生物育成用の拡大基盤。
【請求項４】
移植基盤と、この移植基盤より放出される胞子を受止め可能な場所に配置した拡大基盤とで構成した藻場であって、この藻場の移植基盤を、表面に採苗した種糸又は藻の着生を図るための一条又は数条の凹凸溝、及びこの凹凸溝間に設けた複数個の凹部を備えた移植用本体ベースと、この移植用本体ベースの凹部又は凹部と表面に着脱による手段を介して設けた多数の移植用着生板とで構成し、また藻場の拡大基盤を、凹凸溝、及び複数個の凹部を備えた拡大用本体ベースと、この拡大用本体ベースの凹部又は凹部と表面に着脱による手段を介して設けられる稜角部、及び溝部とを備えた拡大用着生板とで構成し、たことを特徴とした拡大基盤を利用した藻場。
【発明の詳細な説明】
【０００１】
【発明の属する技術分野】
本発明は、海中着脱式等の水生生物育成用の拡大基盤と、この拡大基盤を利用した藻場に関する。
【０００２】
【従来の技術】
海藻類を人工的に養殖する技術については種々研究、実験が繰り返されており、例えば、海洋牧場計画として、種苗生産から人工礁（移植用の人工礁であり、本発明の移植基盤に相当する）に到る広範囲について行われている。この海洋牧場計画の一環である人工礁に関しても、基盤素材の分野から人工礁構造の分野と多岐に到る。
【０００３】
そして、従来、人工礁又はこれに類するものとして種々を提案されている（例えば、実公平６−５７３４号、特開平６−３４３３６９号等）。また本出願人も、特開平１０−３３０８３号の水生生物育成用の人工礁を提案する（文献１とする）。内容は、脚付きコンクリート構造物の本体ベースに複数の凹部を設け、この凹部に着生板を着脱自在に設け、この着生板を海中において着脱自在に設けるとともに、この着生板の表面を本体ベースの表面より突出する構成とした水生生物育成用の人工礁である。従って、陸上での種苗生産作業、又は海中での着生板の着脱という簡便な作業（操作）により最適な人工的養殖及び藻場を提供し、また海底への設置が容易で、かつ設置後、安定的な設置が図れること、更に食害防止を図り、藻類に好適な成育環境及び効率的な生育が図れること、また種苗生産及び水生生物育成用の人工礁（移植基盤）の形成が可能となること、等の特徴を有する。
【０００４】
尚、一部に稜角部を備えた構造の人工礁は存在する。例えば、特開平２−２５５０２７号の海中林造成用基盤である（文献２とする）。この文献２に記載の発明は、稜角部を備えた突起を基盤本体に一体的に突設する構成である。文献２の図３に示されているように、滞流域を形成し、稜角部への胞子の効率的な活着（付着）を図る構成である。
【０００５】
【発明が解決しようとする課題】
前記文献１による移植基盤に設けた各着生板の表面構造は、表面に採苗した種糸又は藻の着生の容易化を図るために、フラット形状、又はポーラス形状となっている。しかし、本発明が意図する拡大基盤及び／又は拡大用着生板に、前記移植基盤より放出される胞子を受止める（胞子が活着し易い）稜角部を備えた構成、又は拡大基盤及び／又は拡大用着生板の表面に、砂、石等の異物が存在する場合には、この異物が前記胞子を受止めるのに弊害となるので、当該異物を、稜角部から除くために、例えば、溝部を形成し、この溝部に異物を落し込む構成、等を備えていないこと等の問題点がある。
【０００６】
また文献２では、基盤本体の一部に稜角部付きの突起（以下、稜角部とする）を備えた構造の造成基盤となっている。しかし、基盤本体と稜角部が一体形状であり、海流及び／又は胞子の放出方向に対して、この稜角部の位置変更は、基盤本体の変更を必要とし、その作業が大変である。また基盤本体上において、各稜角部を、海流及び／又は胞子の放出方向に対して、個別に変更することは不可能である。さらにこの文献２では、稜角部が、磯焼け現象で、例えば、石灰藻の生育が旺盛となって、基盤本体又は稜角部の表面が紅色、白色に変質した場合でも、簡易な取替えができないこと、又は海中林の生成に支障をきたすこと、等の問題がある。
【０００７】
【課題を解決するための手段】
請求項１の発明は、移植基盤より放出される胞子を、拡大用本体ベースの位置等を変更しないで、原則として拡大用着生板のみの多方向の変更を利用して、胞子を受止めかつ胞子が活着し易い多方向の稜角部を形成すること、又は拡大基盤及び／又は拡大用着生板及び／又は拡大用本体ベースの表面に、砂、石等の異物が存在する場合に、この異物を、稜角部から除くために、例えば、異物を溝部及び／又は領域等に落し込んで、胞子を受止める構成とすること、等を意図する。
【０００８】
また請求項１の発明は、稜角部及び溝部とを利用し、水流を乱して（乱流）又は渦（渦流）等の海水の動きを利用して、胞子の活着を促進すること、異物の排除を図ること、又は磯焼け等の現象に対しても、拡大用着生板の取替え及び／又は方向の変更等を介して対処すること、等を意図する。
【０００９】
請求項１は、複数個の凹部を備えた拡大用本体ベースと、この拡大用本体ベースの凹部又は凹部と表面に着脱による手段手段を介して設けた稜角部、及び溝部とを備えた多数の拡大用着生板とで構成する拡大基盤であって、この拡大基盤を、人工藻場、又は自然藻場等の移植基盤より放出される胞子を受止め可能な場所に配置し、前記多数の拡大用着生板の稜角部の向きを、当該多数の拡大用着生板の着脱による手段を介して変更可能に設け、また当該各拡大用着生板の溝部、及び前記拡大用本体ベースと前記多数の拡大用着生板とで形成した領域の段差に砂、石等の異物を落し込み可能とする構成とした水生生物育成用の拡大基盤である。
【００１０】
請求項２・３の発明は、胞子が活着し易い稜角部を形成すること、又は拡大基盤及び／又は拡大用着生板の表面に、砂、石等の異物が存在する場合に、この異物を、稜角部から除き易くすること、等を意図する。
【００１１】
請求項２は、拡大用本体ベースの凹部又は凹部と表面に着脱による手段を介して設けた拡大用着生板に、正面視して略台形状の溝部を設け、また溝部と表面との間、及び肩部とに稜角部を設ける構成とした水生生物育成用の拡大基盤である。
【００１２】
請求項３は、拡大用本体ベースの凹部又は凹部と表面に着脱による手段を介して設けた拡大用着生板に、正面視して略台形状の溝部を設け、また溝部の両側に大小の山部を形成し、この山部の両側に稜角部を設ける構成とした水生生物育成用の拡大基盤である。
【００１３】
請求項４の発明は、砂場に設置した移植基盤より放出される胞子を、拡大用着生板の方向の変更を利用して、胞子を受止めかつ胞子が活着し易い稜角部を形成すること、又は砂場に設置した拡大基盤及び／又は拡大用着生板の表面に、砂、石等の異物が存在する場合に、この異物を、稜角部から除くために、例えば、異物を溝部等に落し込んで、胞子を受止める構成とすること、また多方向の稜角部及び溝部とを利用し、海流の乱れ、又は渦等の海水の動きを利用して、胞子の活着を促進すること、等を意図する。
【００１４】
請求項４は、移植基盤と、この移植基盤より放出される胞子を受止め可能な場所に配置した拡大基盤とで構成した藻場であって、この藻場の移植基盤を、表面に採苗した種糸又は藻の着生を図るための一条又は数条の凹凸溝、及びこの凹凸溝間に設けた複数個の凹部を備えた移植用本体ベースと、この移植用本体ベースの凹部又は凹部と表面に着脱による手段を介して設けた多数の移植用着生板とで構成し、また藻場の拡大基盤を、凹凸溝、及び複数個の凹部を備えた拡大用本体ベースと、この拡大用本体ベースの凹部又は凹部と表面に着脱による手段を介して設けられる稜角部、及び溝部とを備えた拡大用着生板とで構成し、たことを特徴とした拡大基盤を利用した藻場である。
【００１５】
【発明の実施の形態】
本発明の移植用着生板は、原則として一体構造とする。その構造は、石灰石・他の石等の砕石、天然・人工等の骨材、又は他の骨材、等の骨材をモルタルベースで結合一体化して成形する。一例を挙げると、砕石粒径を５〜１０ｍｍ程度とする。この移植用着生板の表面に凹凸、望ましくは、微細な凹凸（梨地状の凹凸）を設ける構造であれば、骨材の形状、物性、資質等は問わない。また混合比率の一例は、セメント２１重量％に対して砕石７９重量％とする。移植用着生板は方形状とし、必要により緊締具を設ける。また移植用着生板の表面は、洗い出し作業により梨地状、凹凸、微細孔等にする場合もある。
【００１６】
また本発明の移植用本体ベースは、四本の脚（必要により設ける）を備えた短脚卓状を呈する全体構造を示しており、また碁盤状に一個又は数個の凹部を有する。そして、コンクリート密度は海況（水深、波浪への影響等）を考慮して変更されるが、通常、１．８ｔ／ｍ〜３．０ｔ／ｍを採用する。そして、この例の如く、コンクリート密度２．３ｔ／ｍの配合比の一例では、骨材８７重量％、セメント１３重量％とする。この移植用本体ベースの凹部には、移植用着生板が着脱自在に設けられる。そして、この移植用着生板は、通常、カジメ用の移植基盤と、アラメ用の移植基盤とが考えられるので、以下、一例を説明する。
【００１７】
図１〜図４に示す一例のカジメ用の移植用着生板は、方形状とする。この移植用着生板の標準的寸法は、２５０ｍｍ×２５０ｍｍ×５０ｍｍである。表面は洗い出し形態とする。また移植用本体ベースは、短脚卓状とする。その標準的寸法は、２０００ｍｍ×１５００ｍｍ×６００ｍｍである。表面のフラット面を残して等辺山形状の凹凸溝を一条又は数条設けることで、凹部間に設け採苗した種糸（幼芽）又は藻の着生の向上を図る。また移植用本体ベースに、食害防止手段の一環として役立つ人工芝と、藻場への鉄分拡散及び人工芝の取付用として役立つ鉄板とを設ける。この人工芝は、匍匐動物（巻貝類・ウニ類等）の中で、巻貝類・ウニ類に対する食害防止、また移植用本体ベースの周面に凹溝を設けて、吸着して移植する巻貝類に、粘稠の困難性又は粘稠力の減退等を図り、食害防止を図る。
【００１８】
この移植用本体ベースを海中に設置し、移植用本体ベースのフラット面に設けた一個又は数個の凹部に、幼芽が取付けられた移植用着生板を被嵌、取付け等を利用して設け、この凹部を移植用着生板で完全に被嵌する。この凹部への水生生物・動物の侵入防止を図り、しかも移植用着性板の着脱の容易化が図れる。この移植基盤をクレーン等の重機で吊上げた後、海中に沈める。例えば、５ｍ〜２０ｍの海底に沈めた状態で、移植基盤の凹部は全て閉塞されており、活着動物の凹部への進入防止を図る。尚、移植用着生板は、海中において簡易かつ迅速に設置又は取外しできる特徴を有し、また食害の発生、採苗の変更、流失による損壊等において、交換が必要な場合には、簡易かつスムーズに取替え可能である。尚、この移植用着生板を、移植用本体ベースの凹部と表面（フラット面）に、着脱、取替え、回動等の手段を介して設ける構成として、多方向への胞子の放出を図ることもできる。
【００１９】
図５〜図８に示す一例のアラメ用の移植用着生板は、方形状であり、標準的寸法及び形態は、前述のカジメ用に準ずる。また移植用本体ベースは、短脚卓状であって、標準的寸法は１６００ｍｍ×９００ｍｍ×４５０ｍｍとする。この表面にハツリ模様による起伏を設け、採苗した種糸又は藻の着生を図るとともに、同表面に等辺山形状の凹凸溝を一条又は数条かつ後述する凹部間に設け着生の向上を図る。移植用本体ベースには食害防止の一環として役立つ人工芝、及び鉄分拡散等も、前述のカジメ用に準ずる。他の構造は、前述の移植用着生板に準ずる。
【００２０】
次に、本発明の拡大用着生板は、一体構造であって、石灰石・他の石等の砕石、天然・人工等の骨材、又は他の骨材、等の骨材をモルタルベースで結合一体化して成形する。一例を挙げると、砕石粒径を５〜１０ｍｍ程度とする。この拡大用着生板の表面に稜角部を、少なくとも二箇所（二条）設ける。この稜角部を設けることで、海流又は渦の生成（人工湧昇の発生、図１２、図１７に矢印で示す）を図り、例えば、胞子の着生の向上、又は流速の加速を生成して、拡大用着生板に堆積又は残存する異物の排除に役立てる。即ち、胞子、配偶体、発芽体等の移植と、この胞子、配偶体等の埋没をなくして、確実な生育を図ることにあり、例えば、多方向に向く稜角部にツルアラメ幼体の活着が確認されている。尚、この拡大用着生板の溝部及び拡大用着生板と拡大用本体ベース表面との領域で形成される段差は、異物の排除時の落し込み用空間として利用することで、拡大用本体ベース及び／又は拡大用着生板に堆積又は残存する異物の排除に役立てる。そして、前述のように溝部及び段差を伴う稜角部は、海流又は渦の生成と異物の排除に効果的であるので、例えば、胞子、配偶体等の着生と、生育に好影響を与えている。この結果は、アラメ用、カジメ用でも同効が期待できる。
【００２１】
また本発明の拡大用本体ベースは、四本の脚を備えた短脚卓状を呈する全体構造を示しており、また碁盤状に一個又は数個の凹部を有する。そして、他の構造は、前述の移植用着生板に準ずる。
【００２２】
図９〜図１３に示す一例のカジメ用の拡大用着生板は、方形状とする。この拡大用着生板の標準的寸法は、前記移植用着生板に準ずる。また拡大用本体ベースは、短脚卓状とする。その標準的寸法・他の構成は、前記移植用本体ベースに準ずる。尚、この拡大用着生板は、略中央に溝部を設け、この溝部と表面との間に、対峙関係となる稜角部、肩部の稜角部、又は拡大用着生板と拡大用本体ベース表面との領域で形成される段差とを設ける構成である。この稜角部、溝部及び段差の役目は、前述の通りである。
【００２３】
図１４〜図１８に示す一例のアラメ用の拡大用着生板は、方形状であり、標準的寸法及び形態は、前述のカジメ用に準ずる。また拡大用本体ベースは、短脚卓状とする。その標準的寸法・他の構成は、前記拡大用本体ベースに準ずる。尚、この拡大用着生板は、略中央に溝部を設け、この溝部の両側に大小の山部を形成し、この山部に稜角部を形成する。そして、拡大用着生板と拡大用本体ベース表面との領域で段差が形成される。従って、多数の稜角部が形成されて、前述の効果の拡大が図れること、また溝部及び段差の役目は、前述の通りである。
【００２４】
以上のように、本発明では、移植・拡大用本体ベースの凹部に、移植・拡大用着生板を着脱、取替え、回動等の手段を介して設けた構成である。従って、海中での作業の容易化、及び採苗への海中交換を促し、藻場（海中林）として機能を発揮できること、陸上での容易な段取り、並びに安全性の向上等が図れること、又は移植・拡大用着生板の流失・食害・磯焼け等による損失と、他の損壊等の場合には、この移植・拡大用着生板等を簡易かつスムーズに取替え可能となり大変重宝すること、等の実益がある。更に拡大用着生板が種々の効果があることは前述の通りである。尚、拡大用本体ベースの凹部に、拡大用着生板を着脱、取替え、回動等の手段を介して嵌着、回動、移動等できる構成とする。この凹部の外形形状（平面形状）は、方形、多角形、円形のいずれでもよく、拡大用着生板の底部形状もこれと合せて形成される。この凹部が円形の場合には着生板を回動させることができ、拡大用着生板の稜角部の位置は３６０°の方向で調整できる。この際、拡大用着生板の嵌着等の方法は、各図示の例があり、例えば、拡大用本体ベースの設置の場所及び／位置等を変更せず、この拡大用本体ベース内（表面）において、稜角部を一方向に整列して嵌着する構成と、同様にして稜角部をランダムに嵌着する構成とがある。このランダムに嵌着して、多方向の稜角部とする理由は、海中の潮流、異物の堆積状況、又は胞子の種類、拡散状況、乱流・渦の生成等の各種の条件を考慮して、最適な各方向を採用することにある。このように、稜角部の各方向を、海流及び／又は海中位置の多様な状況に適合することで、確実かつ効率的な胞子の活着と、海中林の生成に役立つ特徴がある。そして、拡大用着生板の稜角部及び溝部又は段差の変更は、拡大用本体ベースの位置等の変更を付加すれば、さらに各種の効果が可能となる。
【００２５】
【実施例】
以下、移植用着生板１、１１と、拡大用着生板２１、３１とに区別して説明する。
【００２６】
図１〜図４に示す一例のカジメ用の移植用着生板１と、図５〜図８に示すアラメ用の移植用着生板１１とを説明する。この移植用着生板１、１１は方形状であり（一例であり多角形状等も可能である）、移植用本体ベース２、１２の表面２ａ、１２ａに設ける凹部３、１３の平面形状は方形、多角形に限らず円形とすることができる。円形であれば、当該移植用着生板１、１１を３６０°回動（移動又は回転）可能とする構成となる。移植用着生板１、１１の底部の形状は嵌合するように凹部の平面形状と対応する形状とされる。前記移植用本体ベース２、１２の表面２ａ、１２ａには、多数本の凹凸溝４、１４を形成する。また前記凹部３、１３は、移植用本体ベース２、１２の表面２ａ、１２ａに形成したフラット面５、１５に形成することで、前記凹凸溝４、１４の形状、働き等を壊さず、また移植用着生板１、１１の働きの確保、又は全体の形状の安定性、等を図る。図中６、１６は移植用本体ベース２、１２の脚、７、１７は移植用本体ベース２、１２の凹溝、８、１８は移植用本体ベース２、１２に設ける鉄板、９、１９は移植用本体ベース２、１２に設けた人工芝をそれぞれ示す。尚、アラメ用の移植用着生板１１のように二重構造も可能であり、移植用着生板１１の一部が、表面１２ａより突出する構成、又は凹部と表面１２ａと面一等の構成例がある。
【００２７】
次に図９〜図１２（イ）、（ロ）、図１３に示す一例のカジメ用の拡大用着生板２１と、図１４〜図１７（イ）、（ロ）、図１８に示すアラメ用の拡大用着生板３１とを説明する。この拡大用着生板２１、３１は方形状であり（一例であり多角形状等も可能である）、拡大用本体ベース２２、３２の表面２２ａ、３２ａより陥没した形態で多数個設けた例えば、方形状等の凹部２３、３３に、それぞれ嵌着される。尚、拡大用本体ベース２２、３２の表面２２ａ、３２ａには、多数本の凹凸溝２４、３４を形成する。また前記凹部２３、３３は、拡大用本体ベース２２、３２の表面２２ａ、３２ａに形成したフラット面２５、３５に形成することで、前記凹凸溝２４、３４の形状、働き等を壊さず、また拡大用着生板２１、３１の働きの確保、又は全体の形状の安定性等を図る。図中２６、３６は拡大用本体ベース２２、３２の脚、２７、３７は拡大用本体ベース２２、３２の凹溝、２８、３８は移植用本体ベース２２、３２に設ける鉄板、２９、３９は拡大用本体ベース２２、３２に設けた人工芝をそれぞれ示す。尚、アラメ用の拡大用着生板３１のように二重構造も可能であり、拡大用着生板３１の一部が、表面３２ａより突出する構成、又は凹部と表面３２ａと面一等の構成例がある。図中２１ａ、３１ａは拡大用着生板２１、３１の表面を示す。また前記表面２２ａ、３２ａに設ける凹部２３、３３の平面形状は方形、多角形に限らず円形とすることができる。円形の場合には、当該拡大用着生板２１、３１を３６０°回動（移動又は回転）可能とする構成となる。この回動を利用して、拡大用着生板２１の稜角部（後述する）の方向が３６０°回動可能となり、活着の拡充が図れる。そして、前記方形状等の凹部２３、３３を採用した構成の拡大用着生板２１、３１に対して、稜角部（後述する）の自由度が高い特徴がある。尚、拡大用着生板２１、３１の底部の形状は嵌合するように凹部２３、３３の平面形状と対応する形状とされる。図１２（ロ）、図１７（ロ）は、拡大用着生板２１、３１の底部２１ｂ、３１ｂの形状を平面円形状の凹部２３、３３に対応する円錐状とした例を示している。
【００２８】
尚、前記拡大用着生板２１は、略中央に溝部２１０を設け、この溝部２１０と表面２１ａとの間（溝部２１０と表面２１ａとの連設箇所）に、対峙関係となる稜角部２１１と、肩部２１ａ−１の稜角部２１１−１とを形成する構成である。また前記拡大用着生板３１は、略中央に溝部３１０を設け、この溝部３１０の両側に大小の山部３１１、３１２を形成し、この山部３１１、３１２に稜角部３１３、３１４を形成する。そして、山部３１１、３１２の全てに稜角部３１３、３１４を形成する。図中２１２、３１５は取付け用の孔を示しており、ここに緊締具（図示せず）を入れる。また図示しないが、前記各拡大用着生板２１、３１を、前記各移植用着生板１、１１として利用することも可能である。尚、稜角部２１１、稜角部２１１−１は、図示の如く、直線に限定されず、例えば、曲線、波線等も可能であり、活着の効果と、多方向の稜角部２１１、稜角部２１１−１の方向性の確保と、回動等の省略等を介して作業の簡略化とが図れる。
【００２９】
また、拡大用着生板は、拡大用本体ベース２２、３２の凹部２３、３３のみならず拡大用本体ベース２２、３２の表面（フラット面）にも着脱、取替え、回動等の手段を介して設けることができ、拡大用本体ベース２２、３２の有効活用を図ることができる。尚、拡大用本体ベース２２、３２の表面２２ａ、３２ａと多数の拡大用着生板２１、３１の立上り壁面とで形成した領域に段差２１００、３１００を形成し、この段差２１００、３１００を、異物の落し込み用のスペースとして利用する。また拡大用本体ベース２２、３２の凹凸溝２４、３４及び／又は周辺角部等は、放出される胞子を受止め可能とし、活着部として機能する。
【００３０】
図１９は、前記移植用本体ベース２、１２に各移植用着生板１、１１を設けた移植基盤Ａと、前記拡大用本体ベース２２、３２に各拡大用着生板２１、３１を設けた拡大基盤Ｂとの組合せの一例を示す。この例における実験結果の一例を説明する。この拡大基盤Ｂを４方向の４０基とした、また移植基盤Ａ（既設造成基盤）を１００基設置して海中林の実験を行った。この例では、核となる移植基盤Ａから４方向に拡大基盤Ｂを設置し、流向頻度の多い西向きに近い養殖筏方向で、イ方向（移植基盤Ａから３００゜：概ね西北西）のみ良好な幼体発生結果が得られた。また真南から３０°西方向が湾口方向で、ロ方向とする。真北から３０°東方向が湾奥方向で、ハ方向とする。さらに真東から３０°南方向が岸方向で、ニ方向とする。地形は、海底が概ね砂地である。この拡大基盤Ｂの一部（ニ、ロ方向の先端部）と移植基盤Ａでは砂地に転石が多く、岩場になっている。尚、これまでの実験を検討した処、着生確認箱（図示しない）を用いて、移植基盤Ａから流向頻度の多い真西方向の１２０ｍ地点まで着生試験を行い、１００ｍ地点まで幼体の発生が確認された。そして、遊走子発生域からの距離が遠くなるほど遊走子が拡散され幼体発生率は下がるが、１００ｍ以内であれば比較的出現密度は高いという結果が判明した。また遊走子の供給源は、移植基盤Ａのみならず、拡大基盤Ｂもあり得るため単純ではないが、過去の調査結果による流向頻度と幼体発生数とが概ね一致する結果が得られた。
【００３１】
図２０は、図１９の実験に使用した拡大基盤Ｂであり、この拡大基盤Ｂは、拡大用本体ベース２２、３２に設けられた図２１に示す拡大用着生板２１、３１と、フラット拡大用着生板Ｘ、凹凸拡大用着生板Ｙを設けた例を示しており、胞子の活着状態及び／又は幼体の数を表１、２として示す。表１、２に示す記号の１がフラット拡大用着生板Ｘを、記号の２が凹凸拡大用着生板Ｙを、また記号の３が拡大用着生板２１を、記号の４が拡大用着生板３１を示しており、垂直が胞子の放出方向に対して略交差する方向であり、また平行が胞子の放出方向と略同じ方向を、それぞれ示す。拡大基盤Ｂの方向と胞子等の活着数を示しており、この実験例では、養殖筏方向が良かったこと、及び本発明の拡大用着生板２１、３１が優れていたことが判明した。またグラフ１、２は、表１、２に対応する。更に平均値をグラフ３に示した。この実験例では、グラフ１、２と表１、２において現れているように、前述イ方向に活着した胞子、幼体等の数の確認ができており、良好な結果が判明した。総括すると、海流の流れ方向の頻度性と、前述した拡大用本体ベース２２、３２の凹部２３、３３に、拡大用着生板２１、３１をランダムに設置した状況、及び稜角部２１１、２１１−１等の形態、又は段差２１００等の総合的な特徴が影響していると考えられる。
【００３２】
表１
0004839472.tif 000002
【００３３】
表２
0004839472.tif 000003
【００３４】
グラフ１
0004839472.tif 000004
【００３５】
グラフ２
0004839472.tif 000005
【００３６】
グラフ３
0004839472.tif 000006
【００３７】
尚、図２２は、拡大用本体ベース２２、３２に拡大用着生板２１、３１を、ランダムに嵌着し、各方向の稜角部とする例を示す。また図２３は、移植基盤Ａを自然藻場（自然群落）とした例を示す。図中４０は海面、４１は陸上、４２は海底を示す。Ｃは胞子を示す。
【００３８】
また前述の説明では、一例として、カジメ用の拡大用着生板２１と、アラメ用の拡大用着生板３１とに区別して説明したが、それぞれに併用できる。またその他、例えば、他の褐藻類、海藻類等の岩礁性藻類にも同じように使用できることは勿論である。
【００３９】
【発明の効果】
請求項１の発明は、拡大用本体ベースと、拡大用本体ベースの着脱による手段を介して設けられる稜角部、及び溝部とを備えた多数の拡大用着生板とで構成する拡大基盤であって、拡大基盤を、移植基盤より放出される胞子を受止め可能な場所に配置し、拡大用本体ベースの凹部又は凹部と表面に設ける多数の拡大用着生板の稜角部の向きを、多数の拡大用着生板の着脱による手段を介して個々に変更可能に設け、また拡大用着生板の溝部、及び拡大用本体ベースと各拡大用着生板とで形成した領域の段差に異物を落し込み可能とする構成とした水生生物育成用の拡大基盤である。
【００４０】
従って、下記の効果がある。
【００４１】
（１）移植基盤より放出される胞子を、拡大用着生板の稜角部の方向の多方向の変更を利用して、胞子を受止めかつ胞子が活着し易い稜角部を形成できること、又は拡大基盤及び／又は拡大用着生板及び／又は拡大用本体ベースの表面に、砂、石等の異物が存在する場合に、この異物を、稜角部から除くために、例えば、異物を溝部及び／又は段差等に落し込んで、胞子を受止め得ること、等である。
【００４２】
（２）また稜角部及び溝部を利用し、水流を乱して（乱流）又は渦（渦流）等の海水の動きを利用して、胞子の活着が促進されること、異物の排除が図れること、又は磯焼け、破損等の現象に対しても、拡大用着生板の取替え及び／又は方向の変更等を介して有効に対処できること、等である。
【００４３】
請求項２の発明は、拡大用本体ベースの凹部又は凹部と表面に着脱による手段を介して設けた拡大用着生板に、正面視して略台形状の溝部を設け、また溝部と表面との間、及び肩部とに稜角部を設ける構成とした水生生物育成用の拡大基盤である。
【００４４】
従って、下記の効果がある。
【００４５】
（３）胞子が活着し易い稜角部を形成できること、又は拡大基盤及び／又は拡大用着生板の表面に、砂、石等の異物が存在する場合に、この異物を、稜角部から除き易くなること、等である。
【００４６】
請求項３の発明は、拡大用本体ベースの凹部又は凹部と表面に着脱による手段を介して設けた拡大用着生板に、正面視して略台形状の溝部を設け、また溝部の両側に大小の山部を形成し、この山部の両側に稜角部を設ける構成とした水生生物育成用の拡大基盤である。
【００４７】
従って、下記の効果がある。
【００４８】
（４）胞子が活着し易い稜角部を形成できること、又は拡大基盤及び／又は拡大用着生板の表面に、砂、石等の異物が存在する場合に、この異物を、稜角部から除き易くなること、等である。
【００４９】
請求項４の発明は、移植基盤と、この移植基盤より放出される胞子を受止め可能な場所に配置した拡大基盤とで構成した藻場であり、藻場の移植基盤を、表面に採苗した種糸又は藻の着生を図るための各凹凸溝、及び凹部とで形成する移植用本体ベースと、移植用本体ベースの凹部又は凹部と表面に着脱による手段を介して設けた移植用着生板とで構成し、また藻場の拡大基盤を、凹凸溝、及び複数個の凹部を備えた拡大用本体ベースと、拡大用本体ベースの凹部又は凹部と表面に着脱による手段を介して設けられる稜角部、及び溝部とを備えた拡大用着生板とで構成したことを特徴とした拡大基盤を利用した藻場である。
【００５０】
従って、下記の効果がある。
【００５１】
（５）砂場（自然藻場のない海底）に設置した移植基盤より放出される胞子を、拡大用着生板の方向を変更し、胞子を受止め、かつこの胞子が活着し易い多方向の稜角部を形成できること、又は砂場に設置した拡大基盤及び／又は拡大用着生板の表面に、砂、石等の異物が存在する場合に、この異物を、稜角部から除くために、例えば、異物を溝部、段差等に落し込んで、胞子を受止めることができること、等である。
【００５２】
（６）また多方向の稜角部及び溝部とを利用し、海流の乱れ、又は渦等の海水の動きを利用して、胞子の活着を促進できる。
【図面の簡単な説明】
【図１】カジメ用の移植基盤の斜視図である。
【図２】カジメ用の移殖基盤の一部を欠截した平面図である。
【図３】カジメ用の移植基盤の正面図である。
【図４】カジメ用の移植用本体ベースと移植用着生板との関係を示す模式図である。
【図５】アラメ用の移植基盤の斜視図である。
【図６】アラメ用の移殖基盤の一部を欠截した平面図である。
【図７】アラメ用の移植基盤の正面図である。
【図８】アラメ用の移植用本体ベースと移植用着生板との関係を示す模式図である。
【図９】カジメ用の拡大基盤の斜視図である。
【図１０】カジメ用の拡大基盤の一部を欠截した平面図である。
【図１１】カジメ用の拡大用着生板の拡大斜視図である。
【図１２】（イ）はカジメ用の拡大用着生板の一例の拡大正面図、（ロ）はカジメ用の拡大用着生板の他の一例の拡大正面図である。
【図１３】カジメ用の拡大用着生板の拡大平面図である。
【図１４】アラメ用の拡大基盤の斜視図である。
【図１５】アラメ用の拡大基盤の一部を欠截した平面図である。
【図１６】アラメ用の拡大用着生板の拡大斜視図である。
【図１７】（イ）はアラメ用の拡大用着生板の一例の拡大正面図、（ロ）はアラメ用の拡大用着生板の他の一例の拡大正面図である。
【図１８】アラメ用の拡大用着生板の拡大平面図である。
【図１９】移殖基盤と拡大基盤の実験の一例を示す縮尺模式図である。
【図２０】図１９の拡大基盤を示す拡大模式図である。
【図２１】図１９の拡大基盤に使用した、各拡大用着生板の一例を示す拡大模式図である。
【図２２】拡大基盤の他の一例、又はその他の一例を示す縮尺模式図であり、（１）、（１’）はカジメ用、（２）、（２’）はアラメ用である。
【図２３】移殖基盤と拡大基盤の他の一例を示す縮尺模式図である。
【符号の説明】
１  移植用着生板
２  移植用本体ベース
２ａ  表面
３  凹部
４  凹凸溝
５  フラット面
６  脚
７  凹溝
８  鉄板
９  人工芝
１１  移植用着生板
１２  移植用本体ベース
１２ａ  表面
１３  凹部
１４  凹凸溝
１５  フラット面
１６  脚
１７  凹溝
１８  鉄板
１９  人工芝
２１  拡大用着生板
２１ａ  表面
２１ａ−１  肩部
２１ｂ  底部
２１０  溝部
２１００  段差
２１１  稜角部
２１１−１  稜角部
２１２  孔
２２  拡大用本体ベース
２２ａ  表面
２３  凹部
２４  凹凸溝
２５  フラット面
２６  脚
２７  凹溝
２８  鉄板
２９  人工芝
３１  拡大用着生板
３１ａ  表面
３１ｂ  底部
３１０  溝部
３１００  段差
３１１  山部
３１２  山部
３１３  稜角部
３１４  稜角部
３１５  孔
３２  拡大用本体ベース
３２ａ  表面
３３  凹部
３４  凹凸溝
３５  フラット面
３６  脚
３７  凹溝
３８  鉄板
３９  人工芝
４０  海面
４１  陸上
４２  海底
Ａ  移植基盤
Ｂ  拡大基盤
Ｃ  胞子
Ｘ  フラット拡大用着生板
Ｙ  凹凸拡大用着生板
【図１】
0004839472.tif 000007
【図２】
0004839472.tif 000008
【図３】
0004839472.tif 000009
【図４】
0004839472.tif 000010
【図５】
0004839472.tif 000011
【図６】
0004839472.tif 000012
【図７】
0004839472.tif 000013
【図８】
0004839472.tif 000014
【図９】
0004839472.tif 000015
【図１０】
0004839472.tif 000016
【図１１】
0004839472.tif 000017
【図１２】
0004839472.tif 000018
【図１３】
0004839472.tif 000019
【図１４】
0004839472.tif 000020
【図１５】
0004839472.tif 000021
【図１６】
0004839472.tif 000022
【図１７】
0004839472.tif 000023
【図１８】
0004839472.tif 000024
【図１９】
0004839472.tif 000025
【図２０】
0004839472.tif 000026
【図２１】
0004839472.tif 000027
【図２２】
0004839472.tif 000028
【図２３】
0004839472.tif 000029